(57)【要約】【課題】吹出し方向が変わっても、処理風量の変更にも対応できる、生産性及びメンテナンス性の良い多翼型送風装置を得る。【解決手段】平行な二本のベースメンバー２間に連結メンバー３を両サイドと中央に梯子状に固定し、一端の連結メンバー３と中央の連結メンバー３にわたってシャフト７に装着された羽根車８を収めたスクロールケーシング９を取付け、他端の連結メンバー３と中央の連結メンバー３にわたって電動機ガイド部材１２を設け、この電動機ガイド部材１２上に設けた固定台１３に電動機５を取付け、電動機５の回転軸とシャフト７とをプーリ１４とベルト１５により動力伝達可能に連結する。また、固定台１３をベースメンバー２の中心線方向にスライド可能に構成し、ベルト１５の張力調整等のメンテナンスを前面側から行うようにする。【選択図】          図１
2004316435.tif 000002
【特許請求の範囲】
【請求項１】
平行な二本のベースメンバー間に連結メンバーを両サイドと中央に梯子状に固定し、一端の前記連結メンバーと中央の前記連結メンバーにわたってシャフトに装着された羽根車を収めたスクロールケーシングを取付け、他端の前記連結メンバーと中央の前記連結メンバーにわたって電動機ガイド部材を設け、この電動機ガイド部材上に設けた固定台に電動機を取付け、この電動機の回転軸と前記シャフトとを動力伝達機構で連結した多翼型送風装置。
【請求項２】
請求項１に記載の多翼型送風装置であって、固定台をベースメンバーの中心線方向にスライド可能に構成し、動力伝達機構の張力調整等のメンテナンスを前面側から行うことができるようにした多翼型送風装置。
【発明の詳細な説明】
【０００１】
【発明の属する技術分野】
本発明は、床置形の熱交換換気装置等に使われる比較的大型の多翼型送風装置に関するものである。
【０００２】
【従来の技術】
上記この種の多翼型送風装置としては、共通ベッド上に羽根車を納めたケーシング本体が構成され、ケーシング本体に設けられた電動機とＶベルトで羽根車が連結された構成のものがある（例えば、特許文献１、特許文献２参照）。
【０００３】
【特許文献１】
特開平１１―１１７８９７号公報（第２頁―第３頁、図１）
【特許文献２】
特開平１１―２７０８８５号公報（第３頁、図１）
【０００４】
【発明が解決しようとする課題】
上記した従来の多翼型送風装置においては、床置形の熱交換換気装置のように吹出し方向が反対の二台の多翼型送風装置を作る場合、単純に向きを１８０度変えても、メンテナンスの方向も反対になり、吹出し位置も異なってしまい簡単には適用できない。また、処理風量の変更に対する対応性がなく、個別な共通ベッドで対応するよりなく、生産性が低いといった問題点がある。
【０００５】
本発明は、係る従来の問題点を解決するためになされたものであって、その課題とするところは、吹出し方向が変わっても、処理風量の変更にも対応できる、生産性及びメンテナンス性の良い多翼型送風装置を得ることである。
【０００６】
【課題を解決するための手段】
前記課題を達成するために本発明は、平行な二本のベースメンバー間に連結メンバーを両サイドと中央に梯子状に固定し、一端の連結メンバーと中央の連結メンバーにわたってシャフトに装着された羽根車を収めた送風機ケーシングを取付け、他端の連結メンバーと中央の連結メンバーにわたって電動機ガイド部材を設け、この電動機ガイド部材上に設けた固定台に電動機を取付け、電動機の回転軸とシャフトとを動力伝達機構で連結する手段を採用する。
【０００７】
【発明の実施の形態】
実施の形態１．
図１は、本実施の形態の多翼型送風装置の全体を示す斜視図、図２は、同じく多翼型送風装置の分解斜視図、図３と図４は、処理風量の異なる多翼型送風装置の平面図、図５は、多翼型送風装置を床置形の熱交換換気装置に適用した形態を示す正面図である。
【０００８】
この多翼型送風装置１は、平行な二本のベースメンバー２間に連結メンバー３が両サイドと中央に梯子状に固定されたベース構造に多翼送風機４と電動機５が据付けられて構成されている。ベースメンバー２は、二本のチャンネル鋼材を、ウエブ部の背面が向き合う状態に平行に配置され、下面のフランジには防振ゴム６が間隔をおいて取付けられている。
【０００９】
連結メンバー３もチャンネル鋼材で構成され、二本のベースメンバー２上の両サイドと中央にそれぞれ梯子状に固着されている。多翼送風機４は、シャフト７に装着された羽根車８を収めたスクロールケーシング９からなり、一端の連結メンバー３と中央の連結メンバー３にわたって、吹出口が一端の連結メンバー３側に向くように固定されている。羽根車８が装着されたシャフト７は、軸受１０により両持ち支持され、二つの軸受支持部材１１により軸受部分においてベースメンバー２に固定されている。他端側の連結メンバー３と中央の連結メンバー３とにわたって直角にチャンネル鋼材よりなる二列の電動機ガイド部材１２が固定され、この電動機ガイド部材１２上に平板状の固定台１３が取付けられ、固定台１３に電動機５が固定されている。
【００１０】
固定台１３は電動機ガイド部材１２にボルト締めされ、ボルトを緩めることにより、電動機ガイド部材１２に沿ってスライドさせることができる。電動機５の回転軸とシャフト７とはプーリ１４とベルト１５による動力伝達機構で連結され、電動機５により羽根車８が回転する。ベルト１５の張り具合は、固定台１３を電動機ガイド部材１２に沿ってスライドさせて調整することができる。
【００１１】
この多翼型送風装置１は、羽根車８の羽根径を変えたり羽根幅を変えたりして処理風量を変更する場合も、図３及び図４に示すようにベース構造については共通のもので対応することができ、生産性が良い。また、図５に示すように熱交換ユニット１６を積重ねた熱交換換気装置１７に使う場合でも、排気用と給気用では基本構造のベース構造を１８０度反転させるだけで、吹出し方向の反対の多翼型送風装置１を構成することができる。この場合、メンテナンスは、いずれも前面から行うことができる。
【００１２】
実施の形態２．
図６と図７によって示す本実施の形態は、実施の形態１で示した多翼型送風装置に、電動機を水平方向に移動させることができる移動装置を設けたものであり、移動装置に係る構成以外は基本的に実施の形態１のものと同じである。従って、実施の形態１のものと同じ部分については実施の形態１のものと同じ符号を用いそれらについての説明は省略する。
【００１３】
本実施の形態の多翼型送風装置１は、固定台１３が電動機ガイド部材１２の中心線方向にスライド可能に構成され、固定台１３に水平面で屈伸できるアーム１８が取付けられている。アーム１８の一端は電動機ガイド部材１２に枢着され、他端には調整ナット１９が取付けられている。調整ナット１９には、前面側から調整ボルト２０がねじ嵌めされ、調整ボルト２０の回転により調整ナット１９が水平方向に移動し、アーム１８の屈曲部に固定された固定台１３を、電動機５を据付けたまま横方向に移動させることができる。これにより、ベルト１５の張力調整を容易に行うことができる。
【００１４】
【発明の効果】
本発明によれば、吹出し方向が変わっても、処理風量の変更にも対応できる、生産性及びメンテナンス性の良い多翼型送風装置が得られる。
【図面の簡単な説明】
【図１】実施の形態１の多翼型送風装置を示す斜視図である。
【図２】実施の形態１の多翼型送風装置を示す分解斜視図である。
【図３】実施の形態１の多翼型送風装置の処理風量の変更形態を示す平面図である。
【図４】実施の形態１の多翼型送風装置の処理風量の変更形態を示す平面図である。
【図５】実施の形態１の多翼型送風装置を用いた熱交換換気装置の正面図である。
【図６】実施の形態２の多翼型送風装置の主要部の平面図である。
【図７】実施の形態２の多翼型送風装置の移動操作時の主要部の平面図である。
【符号の説明】
１  多翼型送風装置、  ２  ベースメンバー、  ３  連結メンバー、  ５  電動機、  ７  シャフト、  ８  羽根車、  １２  電動機ガイド部材、  １３  固定台、  １４  プーリ、  １５  ベルト、  １８  アーム、  １９  調整ナット、  ２０  調整ボルト。
【図１】
2004316435.tif 000003
【図２】
2004316435.tif 000004
【図３】
2004316435.tif 000005
【図４】
2004316435.tif 000006
【図５】
2004316435.tif 000007
【図６】
2004316435.tif 000008
【図７】
2004316435.tif 000009